(57)【要約】【課題】比較的軽い運動時におけるバストの縦揺れおよび脇側への流れを軽減することができ、バストトップに対する負担を小さくすることが可能なブラジャーを提供する。【解決手段】ブラジャー１は、バストを覆うための左右一対のカップ部２を有する。カップ部２は、前中心側接ぎ部２１と、脇側接ぎ部２３と、中間接ぎ部２２と、内側接ぎライン２４と、外側接ぎライン２５とを有している。内側接ぎライン２４の下端および外側接ぎライン２５の下端は、いずれもカップ部２の下辺部２０３に配置されている。内側接ぎライン２４は、バストトップの位置に対応するトップ部Ｔよりも脇側に配置されている。あるいは、内側接ぎライン２４は、トップ部Ｔよりも前中心側に配置されており、かつ、トップ部Ｔと内側接ぎライン２４との距離がトップ部Ｔと外側接ぎライン２５との距離よりも短い。【選択図】図１
0003190288.tif 000002
【実用新案登録請求の範囲】
【請求項１】
バストを覆うための左右一対のカップ部を有するブラジャーであって、
上記カップ部は、
前中心側に配置される前中心側接ぎ部と、脇側に配置される脇側接ぎ部と、上記前中心側接ぎ部と上記脇側接ぎ部とに接ぎ合わされた中間接ぎ部と、上記前中心側接ぎ部と上記中間接ぎ部との接ぎ目からなる内側接ぎラインと、上記中間接ぎ部と上記脇側接ぎ部との接ぎ目からなる外側接ぎラインとを有しており、
上記内側接ぎラインの下端および上記外側接ぎラインの下端は、いずれも上記カップ部の下辺部に配置されており、
上記内側接ぎラインは、バストトップの位置に対応するトップ部よりも脇側に配置されている、あるいは、
上記内側接ぎラインは、上記トップ部よりも前中心側に配置されており、かつ、上記トップ部と上記内側接ぎラインとの距離が上記トップ部と上記外側接ぎラインとの距離よりも短いことを特徴とするブラジャー。
【請求項２】
上記内側接ぎラインの上端および上記外側接ぎラインの上端は、いずれも上記カップ部の上辺部に配置されていることを特徴とする請求項１に記載のブラジャー。
【請求項３】
上記内側接ぎラインの上端は、上記カップ部の上辺部に配置されており、
上記外側接ぎラインの上端は、上記カップ部の脇辺部に配置されていることを特徴とする請求項１に記載のブラジャー。
【請求項４】
上記内側接ぎラインの上端および上記外側接ぎラインの上端は、いずれも上記カップ部の脇辺部に配置されていることを特徴とする請求項１に記載のブラジャー。
【請求項５】
左右一対の上記カップ部の上部を支持する肩ストラップ部と、上記カップ部と上記肩ストラップ部との接ぎ目からなる肩接ぎラインとを有しており、
上記内側接ぎラインの上端は、上記カップ部の上辺部に配置されており、
上記外側接ぎラインの上端は、上記肩接ぎラインに配置されていることを特徴とする請求項１に記載のブラジャー。
【請求項６】
左右一対の上記カップ部の上部を支持する肩ストラップ部と、上記カップ部と上記肩ストラップ部との接ぎ目からなる肩接ぎラインとを有しており、
上記内側接ぎラインの上端および上記外側接ぎラインの上端は、いずれも上記肩接ぎラインに配置されていることを特徴とする請求項１に記載のブラジャー。
【請求項７】
運動時に着用されることを特徴とする請求項１〜６のいずれか１項に記載のブラジャー。
【考案の詳細な説明】
【技術分野】
【０００１】
本考案は、ブラジャーに関し、さらに詳しくは、健康維持、体力増進、趣味のスポーツ等を目的とする比較的軽い運動時に好適に用いられるブラジャーに関する。
【背景技術】
【０００２】
従来、運動時に着用されるブラジャーとしては、例えば、特許文献１に記載のブラジャーがある。このブラジャーは、バストを覆うための左右一対のカップ部と、カップ部に取り付けられた伸縮テープとを有している。伸縮テープは、バストトップの位置と対応するトップ部を中心として乳房をほぼ均等に五分割するように配置されている。
【先行技術文献】
【特許文献】
【０００３】
【特許文献１】特開平１１−２８６８０３号公報
【考案の概要】
【考案が解決しようとする課題】
【０００４】
しかしながら、従来技術は、以下の点で問題がある。すなわち、従来のブラジャーは、着用時にバストトップを中心にバストを押さえつける。そのため、バストトップが潰れやすく、バストトップに対する負担が大きい。さらに、従来のブラジャーは、運動時のバストの揺れ動きにより、バストトップが強く擦れるおそれがある。
【０００５】
上述したブラジャー以外にも、競技等の比較的激しい運動時に着用されるブラジャーもある。この種のブラジャーは、バストの揺れ動きが競技結果へ悪影響を及ぼすことを回避するため、通常、バストを強く押さえ付けるものが多い。したがって、上述したブラジャーと同様に、バストトップに対する負担が大きいという問題がある。
【０００６】
近年、健康維持、体力増進、趣味のスポーツ等を目的とする比較的軽い運動が行われる機会が増えている。このような軽い運動時には、バストトップに対する負担が小さい方が望ましい。そのためには、ブラジャーがバストを押さえ付ける力を弱くすることが考えらえる。しかし、ブラジャーがバストを押さえ付ける力を単に弱くするだけでは、運動したときにバストが大きく縦揺れしたり、脇側へ流れたりしやすくなる。そのため、着用者は、バストのズレにより不快な思いをすることになり、快適に運動することが難しい。
【０００７】
本考案は、上記背景に鑑みてなされたものであり、比較的軽い運動時におけるバストの縦揺れおよび脇側への流れを軽減することができ、バストトップに対する負担を小さくすることが可能なブラジャーを提供しようとするものである。
【課題を解決するための手段】
【０００８】
本考案の一態様は、バストを覆うための左右一対のカップ部を有するブラジャーであって、
上記カップ部は、
前中心側に配置される前中心側接ぎ部と、脇側に配置される脇側接ぎ部と、上記前中心側接ぎ部と上記脇側接ぎ部とに接ぎ合わされた中間接ぎ部と、上記前中心側接ぎ部と上記中間接ぎ部との接ぎ目からなる内側接ぎラインと、上記中間接ぎ部と上記脇側接ぎ部との接ぎ目からなる外側接ぎラインとを有しており、
上記内側接ぎラインの下端および上記外側接ぎラインの下端は、いずれも上記カップ部の下辺部に配置されており、
上記内側接ぎラインは、バストトップの位置に対応するトップ部よりも脇側に配置されている、あるいは、
上記内側接ぎラインは、上記トップ部よりも前中心側に配置されており、かつ、上記トップ部と上記内側接ぎラインとの距離が上記トップ部と上記外側接ぎラインとの距離よりも短いことを特徴とするブラジャーにある。
【考案の効果】
【０００９】
上記ブラジャーは、前中心側接ぎ部と脇側接ぎ部の間に中間接ぎ部が接ぎ合わされている。つまり、上記ブラジャーは、前中心側接ぎ部、中間接ぎ部、および、脇側接ぎ部が、前中心側から脇側にかけてこの順に配置された縦三枚接ぎにより構成されている。また、内側接ぎラインおよび外側接ぎラインは、上述した配置とされている。そのため、上記ブラジャーは、着用時におけるバストトップ周辺のサポート力が向上し、運動時におけるバストの縦揺れを軽減することが可能となる。また、上記ブラジャーは、外側接ぎラインを有しているので、運動時にバストが揺れてもバストが脇側へ流れ難くなる。そのため、上記ブラジャーは、運動時におけるバストの脇側への流れを軽減することが可能となる。したがって、上記ブラジャーは、運動時におけるバストのズレが抑制され、バストにやさしくフィットし、着用者の快適な運動に寄与することができる。
【００１０】
また、上記ブラジャーは、内側接ぎラインおよび外側接ぎラインが上述した配置とされているため、着用時にバストトップを中心にバストが押さえつけられることがない。それ故、上記ブラジャーは、バストトップが潰れ難く、バストトップに対する負担が小さくなる。また、内側接ぎラインは、トップ部よりも脇側あるいは前中心側を通るように配置されている。そのため、上記ブラジャーは、伸びのほとんどない接ぎ目にバストトップが当たり難く、これによってもバストトップに対する負担が小さくなる。
【００１１】
よって、上記ブラジャーは、比較的軽い運動時におけるバストの縦揺れおよび脇側への流れを軽減することができ、バストトップに対する負担を小さくすることができる。
【図面の簡単な説明】
【００１２】
【図１】実施例１のブラジャーの正面図である。
【図２】実施例１のブラジャーの背面図である。
【図３】実施例２のブラジャーの正面図である。
【図４】実施例３のブラジャーの正面図である。
【図５】実施例４のブラジャーの正面図である。
【図６】実施例５のブラジャーの正面図である。
【図７】実施例６のブラジャーの正面図である。
【図８】実施例７のブラジャーの正面図である。
【図９】実施例８のブラジャーの正面図である。
【図１０】実施例９のブラジャーの正面図である。
【図１１】実施例１０のブラジャーの正面図である。
【考案を実施するための形態】
【００１３】
上記ブラジャーにおいて、トップ部は、バストトップの位置に対応する部位であり、当該ブラジャーの設計上、カップ部の所定位置に予め定められるものである。
【００１４】
上記ブラジャーは、トップ部よりも脇側に内側接ぎラインが配置されている。あるいは、上記ブラジャーは、トップ部よりも前中心側に内側接ぎラインが配置されており、かつ、トップ部と内側接ぎラインとの距離がトップ部と外側接ぎラインとの距離よりも短い。前者の場合は、中間接ぎ部および内側接ぎラインによりバストトップが押さえられることがないので、バストをより自然な形でサポートすることができる。そのため、前者の場合は、バストトップへの負担をより小さくすることができる。一方、後者の場合は、中間接ぎ部によりバストトップが押さえられるため、前者の場合に比べ、バストを押さえる力が強くなる。もっとも、後者は、内側接ぎラインがトップ部寄りにあるので、中間接ぎ部によって積極的にバストトップを中心にバストが押さえ付けられることはない。そのため、従来のブラジャーのように、バストトップの負担が過度に大きくなることはない。上記ブラジャーは、前者の構成または後者の構成を適宜選択することにより、バストトップへの過度な負担を回避しつつ、バストを押さえる力を調節することができる。
【００１５】
なお、トップ部と内側接ぎラインとの距離は、トップ部から内側接ぎラインへ降ろした垂線の長さのことである。同様に、トップ部と外側接ぎラインとの距離は、トップ部から外側接ぎラインへ降ろした垂線の長さのことである。
【００１６】
上記ブラジャーは、左右一対のカップ部の上部を支持する肩ストラップ部と、カップ部と肩ストラップ部との接ぎ目からなる肩接ぎラインとを有することができる。この場合には、カップ部の伸びと肩ストラップ部の伸びとを、別々に調節しやすいブラジャーが得られる。また、カップ部を構成する生地と肩ストラップを構成する生地とが別パーツに分けられることにより、ブラジャーの製造時に、ブラジャーの生地を無駄なく使用しやすくなり、生産性の高いブラジャーが得られる。なお、上記ブラジャーは、前中心側接ぎ部、中間接ぎ部、または、脇側接ぎ部のいずれかと肩ストラップとが連続する生地を用いて一体的に形成されていてもよい。
【００１７】
上記ブラジャーにおいて、内側接ぎラインの上端、外側接ぎラインの上端は、カップ部の上辺部、カップ部の脇辺部、肩接ぎラインなどに適宜配置することができる。
【００１８】
具体的には、例えば、上記ブラジャーは、内側接ぎラインの上端および外側接ぎラインの上端がいずれもカップ部の上辺部に配置されている構成（１）とすることができる。また、上記ブラジャーは、内側接ぎラインの上端がカップ部の上辺部に配置されており、外側接ぎラインの上端がカップ部の脇辺部に配置されている構成（２）とすることができる。また、上記ブラジャーは、内側接ぎラインの上端および外側接ぎラインの上端がいずれもカップ部の脇辺部に配置されている構成（３）とすることができる。また、上記ブラジャーは、内側接ぎラインの上端がカップ部の上辺部に配置されており、外側接ぎラインの上端が肩接ぎラインに配置されている構成（４）とすることができる。また、上記ブラジャーは、内側接ぎラインの上端および外側接ぎラインの上端がいずれも肩接ぎラインに配置されている構成（５）とすることができる。
【００１９】
上記構成（１）〜（５）とされている場合には、上記ブラジャーの作用効果を実現しやすいブラジャーが得られる。
【００２０】
また、上記ブラジャーは、内側接ぎラインの上端および外側接ぎラインの上端がより高い位置に配置されるほど、着用時におけるバストトップ周辺のサポート力が向上し、運動時におけるバストの縦揺れを軽減しやすくなる傾向がある。同様に、上記ブラジャーは、内側接ぎラインの上端および外側接ぎラインの上端がより高い位置に配置されるほど、運動時にバストが揺れてもバストが脇側へ流れ難くなり、運動時におけるバストの脇側への流れを軽減しやすくなる傾向がある。
【００２１】
上記構成（１）〜（５）において、運動時におけるバストの縦揺れは、概ね、構成（１）、構成（２）、構成（３）、構成（４）、構成（５）の順に軽減しやすくなる。また、運動時におけるバストの脇側への流れは、概ね、構成（１）、構成（２）、構成（３）、構成（４）、構成（５）の順に軽減しやすくなる。したがって、これらを考慮して、内側接ぎラインの上端および外側接ぎラインの上端の配置を決定するとよい。
【００２２】
上記ブラジャーにおいて、左右のカップ部は、例えば、互いの前中心側接ぎ部の前中心側部分同士が接ぎ合わされている構成とすることができる。他にも例えば、左右のカップ部は、互いの前中心側接ぎ部が連続する生地を用いて一体的に形成されていてもよい。また、上記ブラジャーは、カップ部の肌側に当接する裏生地、パッドなどをさらに有していてもよい。なお、上記ブラジャーにおけるカップ部以外の部分は、公知の構成を適宜採用することができる。
【００２３】
上記ブラジャーは、運動時に着用されることにより、上述した作用効果を効果的に発揮することができる。上記ブラジャーは、具体的には、健康維持、体力増進、趣味のスポーツ等を目的とする比較的軽い運動時に特に好適に着用可能である。上記運動としては、例えば、ウォーキング、ジョギング、ランニング、エアロビクス、ダンス、ヨガなどを例示することができる。
【００２４】
なお、上述した各構成は、上述した各作用効果等を得るなどのために必要に応じて任意に組み合わせることができる。
【実施例】
【００２５】
以下、実施例のブラジャーについて、図面を用いて説明する。なお、同一部材については同一の符号を用いて説明する。
【００２６】
（実施例１）
実施例１のブラジャーについて、図１および図２を用いて説明する。図１および図２に示すように、本例のブラジャー１は、バストを覆うための左右一対のカップ部２を有している。
【００２７】
本例では、具体的には、ブラジャー１は、左右一対のカップ部２と、土台部３と、バック部４と、肩ストラップ部５と、アンダー部６とを有している。
【００２８】
土台部３は、カップ部２を下方から支持する。土台部３は、カップ部２の下部に縫製により接続されている。土台部３の上辺部に沿った点線３１は、縫製糸である。バック部４は、土台部３の両脇下の各端部に接続されている。本例では、バック部４は、土台部３の両脇下の各端部に縫製により接続されている。バック部４は、連続する生地により土台部３と一体的に形成することも可能である。肩ストラップ部５は、左右一対のカップ部２の上部を支持する。本例では、肩ストラップ部５は、背面側において一体化されている。また、肩ストラップ部５は、カップ部２の上部とバック部４とに縫製により接続されている。したがって、ブラジャー１は、カップ部２と肩ストラップ部５との間に、両者の接ぎ目からなる肩接ぎライン２６を有している。アンダー部６は、土台部３およびバック部４の下部に縫製により接続されている。
【００２９】
ここで、カップ部２は、前中心側に配置される前中心側接ぎ部２１と、脇側に配置される脇側接ぎ部２３と、前中心側接ぎ部２１と脇側接ぎ部２３とに接ぎ合わされた中間接ぎ部２２と、前中心側接ぎ部２１と中間接ぎ部２２との接ぎ目からなる内側接ぎライン２４と、中間接ぎ部２２と脇側接ぎ部２３との接ぎ目からなる外側接ぎライン２５とを有している。なお、内側接ぎライン２４に沿った点線２４１および外側接ぎライン２５に沿った点線２５１は、いずれも縫製糸である。
【００３０】
カップ部２は、具体的には、前中心側接ぎ部２１、中間接ぎ部２２、および、脇側接ぎ部２３が、前中心側から脇側にかけてこの順に配置された縦三枚接ぎにより構成されている。カップ部２は、前中心側接ぎ部２１、中間接ぎ部２２、および、脇側接ぎ部２３が接ぎ合わされることにより、バストを覆うことが可能な立体的形状に形成されている。ブラジャー１において、左右のカップ部２は、互いの前中心側接ぎ部２１の前中心側部分同士が接ぎ合わされることにより一体化されている。なお、図１中、符号２０４は、右側のカップ部２における前中心側接ぎ部２１と左側のカップ部２における前中心側接ぎ部２１との接ぎ目からなる前中心ラインである。
【００３１】
内側接ぎライン２４の下端および外側接ぎライン２５の下端は、いずれもカップ部２の下辺部２０３に配置されている。また、本例では、内側接ぎライン２４の上端および外側接ぎライン２５の上端は、いずれもカップ部２の上辺部２０１に配置されている。したがって、肩ストラップ部５の前端は、脇側接ぎ部２３の上部に接続されている。なお、本例では、内側接ぎライン２４の上端と外側接ぎライン２５の上端との間は、内側接ぎライン２４の下端と外側接ぎライン２５の下端との間よりも狭くされている。
【００３２】
本例では、具体的には、前中心側接ぎ部２１は、カップ部２の上辺部２０１の一部と、内側接ぎライン２４と、カップ部２の下辺部２０３の一部と、前中心ライン２０４とにより囲まれた領域から構成されている。また、中間接ぎ部２２は、カップ部２の上辺部２０１の一部と、外側接ぎライン２５と、カップ部２の下辺部２０３の一部と、内側接ぎライン２４とにより囲まれた領域から構成されている。また、脇側接ぎ部２３は、カップ部２の上辺部２０１の一部と、肩接ぎライン２６と、カップ部２の脇辺部２０２と、カップ部２の下辺部２０３の一部と、外側接ぎライン２５により囲まれた領域から構成されている。
【００３３】
内側接ぎライン２４は、バストトップの位置に対応するトップ部Ｔよりも脇側に配置されている。つまり、本例では、内側接ぎライン２４は、トップ部Ｔを避けてトップ部Ｔよりも脇側を通るように配置されている。また、本例では、内側接ぎライン２４は、脇側へ凸となるようにゆるやかに湾曲している。同様に、外側接ぎライン２５は、脇側へ凸となるようにゆるやかに湾曲している。
【００３４】
ブラジャー１において、カップ部２を構成する前中心側接ぎ部２１、中間接ぎ部２２、および、脇側接ぎ部２３は、いずれも同じ材質の生地から構成されている。具体的には、本例では、前中心側接ぎ部２１、中間接ぎ部２２、および、脇側接ぎ部２３を構成する生地は、ポリエステルとポリウレタンとが混合されたメッシュ素材（混合比：ポリエステル９０％、ポリウレタン１０％）からなる。また、土台部３は、ポリエステルとポリウレタンとが混合されたメッシュ素材（混合比：ポリエステル９０％、ポリウレタン１０％）からなる。また、バック部４は、ポリエステルとポリウレタンとが混合されたメッシュ素材（混合比：ポリエステル９０％、ポリウレタン１０％）からなる。また、肩ストラップ部５は、ナイロンとポリウレタンとが混合された材料（混合比：ナイロン８５％、ポリウレタン１５％）からなる。また、アンダー部６は、ブラジャーの下端を胴周りに密着させることができるようにゴム弾性を有する材料からなる。アンダー部６は、具体的には、ナイロンとポリウレタンとが混合された材料（混合比：ナイロン８５％、ポリウレタン１５％）からなる。なお、上辺部２０１、脇辺部２０２には、パイピングが設けられている。パイピングは、ナイロンとポリウレタンとが混合された材料（混合比：ナイロン８５％、ポリウレタン１５％）からなる。
【００３５】
次に、本例のブラジャーの作用効果について説明する。
【００３６】
ブラジャー１は、前中心側接ぎ部２１と脇側接ぎ部２３の間に中間接ぎ部２２が接ぎ合わされている。つまり、ブラジャー１は、前中心側接ぎ部２１、中間接ぎ部２２、および、脇側接ぎ部２３が、前中心側から脇側にかけてこの順に配置された縦三枚接ぎにより構成されている。また、内側接ぎライン２４および外側接ぎライン２５は、上述した配置とされている。そのため、ブラジャー１は、着用時におけるバストトップ周辺のサポート力が向上し、運動時におけるバストの縦揺れを軽減することが可能となる。また、ブラジャー１は、外側接ぎライン２５を有しているので、運動時にバストが揺れてもバストが脇側へ流れ難くなる。そのため、ブラジャー１は、運動時におけるバストの脇側への流れを軽減することが可能となる。したがって、ブラジャー１は、運動時におけるバストのズレが抑制され、バストにやさしくフィットし、着用者の快適な運動に寄与することができる。
【００３７】
また、ブラジャー１は、内側接ぎライン２４および外側接ぎライン２５が上述した配置とされているため、着用時にバストトップを中心にバストが押さえつけられることがない。それ故、ブラジャー１は、バストトップが潰れ難く、バストトップに対する負担が小さくなる。また、内側接ぎライン２４は、トップ部Ｔよりも脇側を通るように配置されている。そのため、ブラジャー１は、伸びがほとんどない接ぎ目にバストトップが当たり難く、これによってもバストトップに対する負担が小さくなる。
【００３８】
よって、ブラジャー１は、比較的軽い運動時におけるバストの縦揺れおよび脇側への流れを軽減することができ、バストトップに対する負担を小さくすることができる。
【００３９】
（実施例２）
実施例２のブラジャーについて、図３を用いて説明する。本例のブラジャー１は、内側接ぎライン２４が、トップ部Ｔよりも前中心側に配置されており、かつ、トップ部Ｔと内側接ぎライン２４との距離がトップ部Ｔと外側接ぎライン２５との距離よりも短い。その他の構成は、実施例１と同様である。
【００４０】
本例のブラジャー１は、中間接ぎ部２２によりバストトップが押さえられるため、実施例１のブラジャー１に比べ、バストを押さえる力が強くなる。もっとも、本例のブラジャー１は、内側接ぎライン２４がトップ部Ｔ寄りにあるので、中間接ぎ部２２によって積極的にバストトップを中心にバストが押さえ付けられることはない。そのため、本例のブラジャー１は、バストトップの負担が過度に大きくなるのを回避しつつ、バストを押さえる力を大きくすることができる。その他の作用効果は、実施例１と同様である。
【００４１】
（実施例３）
実施例３のブラジャーについて、図４を用いて説明する。本例のブラジャー１は、内側接ぎライン２４の上端がカップ部２の上辺部２０１に配置されており、外側接ぎライン２５の上端がカップ部２の脇辺部２０２に配置されている。したがって、肩ストラップ部５の前端は、中間接ぎ部２２の上部に接続されている。なお、本例では、内側接ぎライン２４の上端と外側接ぎライン２５の上端との間は、内側接ぎライン２４の下端と外側接ぎライン２５の下端との間よりも広くされている。
【００４２】
本例では、具体的には、前中心側接ぎ部２１は、カップ部２の上辺部２０１の一部と、内側接ぎライン２４と、カップ部２の下辺部２０３の一部と、前中心ライン２０４とにより囲まれた領域から構成されている。また、中間接ぎ部２２は、カップ部２の上辺部２０１の一部と、肩接ぎライン２６と、カップ部２の脇辺部２０２の一部と、外側接ぎライン２５と、カップ部２の下辺部２０３の一部と、内側接ぎライン２４とにより囲まれた領域から構成されている。また、脇側接ぎ部２３は、カップ部２の脇辺部２０２の一部と、カップ部２の下辺部２０３の一部と、外側接ぎライン２５とにより囲まれた領域から構成されている。その他の構成は、実施例１と同様である。
【００４３】
本例のブラジャー１は、内側接ぎライン２４の上端および外側接ぎライン２５の上端を比較的高い位置に配置することができる。そのため、本例のブラジャー１は、実施例１のブラジャー１に比べ、着用時におけるバストトップ周辺のサポート力を向上させやすく、運動時におけるバストの縦揺れを軽減しやすい。また、本例のブラジャー１は、実施例１のブラジャー１に比べ、運動時にバストが揺れてもバストが脇側へ流れ難いため、運動時におけるバストの脇側への流れを軽減しやすい。その他の作用効果は、実施例１と同様である。
【００４４】
（実施例４）
実施例４のブラジャーについて、図５を用いて説明する。本例のブラジャー１は、内側接ぎライン２４が、トップ部Ｔよりも前中心側に配置されており、かつ、トップ部Ｔと内側接ぎライン２４との距離がトップ部Ｔと外側接ぎライン２５との距離よりも短い。また、左右のカップ部２は、互いの前中心側接ぎ部２１が連続する生地を用いて一体的に形成されている。したがって、本例のブラジャー１は、前中心ライン２０４を有していない。また、本例のブラジャー１は、中間接ぎ部２２と肩ストラップ５とが連続する生地を用いて一体的に形成されている。その他の構成は、実施例３と同様である。
【００４５】
本例のブラジャー１は、中間接ぎ部２２によりバストトップが押さえられるため、実施例３のブラジャー１に比べ、バストを押さえる力が強くなる。もっとも、本例のブラジャー１は、内側接ぎライン２４がトップ部Ｔ寄りにあるので、中間接ぎ部２２によって積極的にバストトップを中心にバストが押さえ付けられることはない。そのため、本例のブラジャー１は、バストトップの負担が過度に大きくなるのを回避しつつ、バストを押さえる力を大きくすることができる。その他の作用効果は、実施例３と同様である。
【００４６】
（実施例５）
実施例５のブラジャーについて、図６を用いて説明する。本例のブラジャー１は、内側接ぎライン２４の上端および外側接ぎライン２５の上端が、いずれもカップ部２の脇辺部２０２に配置されている。したがって、肩ストラップ部５の前端は、カップ部２の前中心側接ぎ部２１の上部に接続されている。なお、本例では、内側接ぎライン２４の上端と外側接ぎライン２５の上端との間は、内側接ぎライン２４の下端と外側接ぎライン２５の下端との間よりも狭くされている。また、内側接ぎライン２４は、前中心側へ凸となるようにゆるやかに湾曲している。同様に、外側接ぎライン２５は、前中心側へ凸となるようにゆるやかに湾曲している。
【００４７】
本例では、具体的には、前中心側接ぎ部２１は、カップ部２の上辺部２０１と、肩接ぎライン２６と、カップ部２の脇辺部２０２の一部と、内側接ぎライン２４と、カップ部２の下辺部２０３の一部と、前中心ライン２０４とにより囲まれた領域から構成されている。また、中間接ぎ部２２は、カップ部２の脇辺部２０２の一部と、外側接ぎライン２５と、カップ部２の下辺部２０３の一部と、内側接ぎライン２４とにより囲まれた領域から構成されている。また、脇側接ぎ部２３は、カップ部２の脇辺部２０２の一部と、カップ部２の下辺部２０３の一部と、外側接ぎライン２５とにより囲まれた領域から構成されている。その他の構成は、実施例１と同様である。
【００４８】
本例のブラジャー１は、内側接ぎライン２４の上端および外側接ぎライン２５の上端を比較的高い位置に配置することができる。そのため、本例のブラジャー１は、実施例１のブラジャー１に比べ、着用時におけるバストトップ周辺のサポート力を向上させやすく、運動時におけるバストの縦揺れを軽減しやすい。また、本例のブラジャー１は、実施例１のブラジャー１に比べ、運動時にバストが揺れてもバストが脇側へ流れ難いため、運動時におけるバストの脇側への流れを軽減しやすい。その他の作用効果は、実施例１と同様である。
【００４９】
（実施例６）
実施例６のブラジャーについて、図７を用いて説明する。本例のブラジャー１は、内側接ぎライン２４が、トップ部Ｔよりも前中心側に配置されており、かつ、トップ部Ｔと内側接ぎライン２４との距離がトップ部Ｔと外側接ぎライン２５との距離よりも短い。その他の構成は、実施例５と同様である。
【００５０】
本例のブラジャー１は、中間接ぎ部２２によりバストトップが押さえられるため、実施例５のブラジャー１に比べ、バストを押さえる力が強くなる。もっとも、本例のブラジャー１は、内側接ぎライン２４がトップ部Ｔ寄りにあるので、中間接ぎ部２２によって積極的にバストトップを中心にバストが押さえ付けられることはない。そのため、本例のブラジャー１は、バストトップの負担が過度に大きくなるのを回避しつつ、バストを押さえる力を大きくすることができる。その他の作用効果は、実施例５と同様である。
【００５１】
（実施例７）
実施例７のブラジャーについて、図８を用いて説明する。本例のブラジャー１は、内側接ぎライン２４の上端がカップ部２の上辺部２０１に配置されており、外側接ぎライン２５の上端が肩接ぎライン２６に配置されている。したがって、肩ストラップ部５の前端は、カップ部２の中間接ぎ部２１の上部および脇側接ぎ部２３の上部に接続されている。なお、本例では、内側接ぎライン２４の上端と外側接ぎライン２５の上端との間は、内側接ぎライン２４の下端と外側接ぎライン２５の下端との間よりも広くされている。
【００５２】
本例では、具体的には、前中心側接ぎ部２１は、カップ部２の上辺部２０１の一部と、内側接ぎライン２４と、カップ部２の下辺部２０３の一部と、前中心ライン２０４とにより囲まれた領域から構成されている。また、中間接ぎ部２２は、カップ部２の上辺部２０１の一部と、肩接ぎライン２６の一部と、外側接ぎライン２５と、カップ部２の下辺部２０３の一部と、内側接ぎライン２４とにより囲まれた領域から構成されている。また、脇側接ぎ部２３は、肩接ぎライン２６の一部と、カップ部２の脇辺部２０２と、カップ部２の下辺部２０３の一部と、外側接ぎライン２５とにより囲まれた領域から構成されている。その他の構成は、実施例１と同様である。
【００５３】
本例のブラジャー１は、内側接ぎライン２４の上端および外側接ぎライン２５の上端を比較的高い位置に配置することができる。そのため、本例のブラジャー１は、実施例１のブラジャー１に比べ、着用時におけるバストトップ周辺のサポート力を向上させやすく、運動時におけるバストの縦揺れを軽減しやすい。また、本例のブラジャー１は、実施例１のブラジャー１に比べ、運動時にバストが揺れてもバストが脇側へ流れ難いため、運動時におけるバストの脇側への流れを軽減しやすい。その他の作用効果は、実施例１と同様である。
【００５４】
（実施例８）
実施例８のブラジャーについて、図９を用いて説明する。本例のブラジャー１は、内側接ぎライン２４が、トップ部Ｔよりも前中心側に配置されており、かつ、トップ部Ｔと内側接ぎライン２４との距離がトップ部Ｔと外側接ぎライン２５との距離よりも短い。また、内側接ぎライン２４は、前中心側へ凸となるようにゆるやかに湾曲している。一方、外側接ぎライン２５は、脇側へ凸となるようにゆるやかに湾曲している。その他の構成は、実施例７と同様である。
【００５５】
本例のブラジャー１は、中間接ぎ部２２によりバストトップが押さえられるため、実施例７のブラジャー１に比べ、バストを押さえる力が強くなる。もっとも、本例のブラジャー１は、内側接ぎライン２４がトップ部Ｔ寄りにあるので、中間接ぎ部２２によって積極的にバストトップを中心にバストが押さえ付けられることはない。そのため、本例のブラジャー１は、バストトップの負担が過度に大きくなるのを回避しつつ、バストを押さえる力を大きくすることができる。その他の作用効果は、実施例７と同様である。
【００５６】
（実施例９）
実施例９のブラジャーについて、図１０を用いて説明する。本例のブラジャー１は、内側接ぎライン２４の上端および外側接ぎライン２５の上端が、いずれも肩接ぎライン２６に配置されている。したがって、肩ストラップ部５の前端は、前中心側接ぎ部２１の上部、中間接ぎ部２２の上部、および、脇側接ぎ部２３の上部に接続されている。なお、本例では、内側接ぎライン２４の上端と外側接ぎライン２５の上端との間は、内側接ぎラインの２４下端と外側接ぎライン２５の下端との間よりも狭くされている。
【００５７】
本例では、具体的には、前中心側接ぎ部２１は、カップ部２の上辺部２０１と、肩接ぎライン２６の一部と、内側接ぎライン２４と、カップ部２の下辺部２０３の一部と、前中心ライン２０４とにより囲まれた領域から構成されている。また、中間接ぎ部２２は、肩接ぎライン２６の一部と、外側接ぎライン２５と、カップ部２の下辺部２０３の一部と、内側接ぎライン２４とにより囲まれた領域から構成されている。また、脇側接ぎ部２３は、肩接ぎライン２６の一部と、カップ部２の脇辺部２０２と、カップ部２の下辺部２０３の一部と、外側接ぎライン２５とにより囲まれた領域から構成されている。その他の構成は、実施例１と同様である。
【００５８】
本例のブラジャー１は、内側接ぎライン２４の上端および外側接ぎライン２５の上端を比較的高い位置に配置することができる。そのため、本例のブラジャー１は、実施例１のブラジャー１に比べ、着用時におけるバストトップ周辺のサポート力を向上させやすく、運動時におけるバストの縦揺れを軽減しやすい。また、本例のブラジャー１は、実施例１のブラジャー１に比べ、運動時にバストが揺れてもバストが脇側へ流れ難いため、運動時におけるバストの脇側への流れを軽減しやすい。その他の作用効果は、実施例１と同様である。
【００５９】
（実施例１０）
実施例１０のブラジャーについて、図１１を用いて説明する。本例のブラジャー１は、内側接ぎライン２４が、トップ部Ｔよりも前中心側に配置されており、かつ、トップ部Ｔと内側接ぎライン２４との距離がトップ部Ｔと外側接ぎライン２５との距離よりも短い。その他の構成は、実施例９と同様である。
【００６０】
本例のブラジャー１は、中間接ぎ部２２によりバストトップが押さえられるため、実施例９のブラジャー１に比べ、バストを押さえる力が強くなる。もっとも、本例のブラジャー１は、内側接ぎライン２４がトップ部Ｔ寄りにあるので、中間接ぎ部２２によって積極的にバストトップを中心にバストが押さえ付けられることはない。そのため、本例のブラジャー１は、バストトップの負担が過度に大きくなるのを回避しつつ、バストを押さえる力を大きくすることができる。その他の作用効果は、実施例９と同様である。
【００６１】
以上、本考案の実施例について詳細に説明したが、本考案は上記実施例に限定されるものではなく、本考案の趣旨を損なわない範囲内で種々の変更が可能である。
【符号の説明】
【００６２】
１  ブラジャー
２  カップ部
２１  前中心側接ぎ部
２２  中間接ぎ部
２３  脇側接ぎ部
２４  内側接ぎライン
２５  外側接ぎライン
２０３  カップ部２の下辺部
Ｔ  トップ部
【図１】
0003190288.tif 000003
【図２】
0003190288.tif 000004
【図３】
0003190288.tif 000005
【図４】
0003190288.tif 000006
【図５】
0003190288.tif 000007
【図６】
0003190288.tif 000008
【図７】
0003190288.tif 000009
【図８】
0003190288.tif 000010
【図９】
0003190288.tif 000011
【図１０】
0003190288.tif 000012
【図１１】
0003190288.tif 000013